(57)【要約】【課題】建物の出隅コーナー部で耐風に優れた外壁を構成することができ、また、足場を不要にし得る外壁パネル、および外壁構造および外壁施工方法を提供する。【解決手段】この外壁パネル１は、複数の外壁面材５１が上下に並べられて縦胴縁５２ａで連結されており、上記外壁面材５１は直交する二面の外壁面を備え、それぞれの外壁面の後面側に上記縦胴縁５２ａが複数本取り付けられている。上記縦胴縁５２ａのうちの縦胴縁５２ａ1は、出隅コーナー近くで隅柱１０１の側面に対向して位置する。また、上記縦胴縁５２ａ1に隣接する縦胴縁５２ａ2の丈が、上下のパネル連結に必要な丈よりも短くされている。【選択図】図５
2019011647.tif 000002
【特許請求の範囲】
【請求項１】
建物の出隅コーナーに取り付けられる外壁パネルであって、複数の外壁面材が上下に並べられて縦胴縁で連結されており、上記外壁面材は直交する二面の外壁面を有し、各々の外壁面に上記縦胴縁が複数本取り付けられており、各外壁面の少なくとも最もコーナー寄りの縦胴縁は上記出隅コーナーの隅柱に対向して位置するように設けられていることを特徴とする外壁パネル。
【請求項２】
請求項１に記載の外壁パネルにおいて、上記最もコーナー寄りの縦胴縁以外の縦胴縁のなかの一部の縦胴縁の丈が、上下のパネル連結に必要な丈よりも短くされていることを特徴とする外壁パネル。
【請求項３】
請求項２に記載の外壁パネルにおいて、上記丈が短くされた縦胴縁は、上記隅柱における上記出隅コーナー側の角の隣の角の近傍に位置することを特徴とする外壁パネル。
【請求項４】
請求項１に記載の外壁パネルを建物の出隅コーナーに上下に配置して取り付ける外壁構造であって、上下の外壁パネルにおける対応する縦胴縁同士が接続板によって接続されていることを特徴とする外壁構造。
【請求項５】
請求項２または請求項３に記載の外壁パネルを建物の出隅コーナーに上下に配置して取り付ける外壁構造であって、上下の外壁パネルにおける上記最もコーナー寄りの縦胴縁に隣接する縦胴縁同士の間に、丈が短くされた分を補う補助胴縁が設けられていることを特徴とする外壁構造。
【請求項６】
請求項５に記載の外壁構造を構築する外壁施工方法であって、上下の外壁パネルにおける上記最もコーナー寄りの縦胴縁に隣接する縦胴縁同士の間からの操作によって、上記最もコーナー寄りの縦胴縁同士を接続板によって接続する工程と、上下の外壁パネルにおける上記隣接する縦胴縁同士を、丈が短くされた分を補う補助胴縁を設けて接続する工程とを含むことを特徴とする外壁施工方法。
【発明の詳細な説明】
【技術分野】
【０００１】
この発明は、複数の外壁面材が上下に並べられて縦胴縁で連結された外壁パネル、この外壁パネルを用いた外壁構造およびこの外壁構造を構築する外壁施工方法に関する。
【背景技術】
【０００２】
特許文献１には、建物躯体への取付状態で上下方向に並ぶ複数枚の外壁パネルを、上記建物躯体への取付け用の下地となり、上記外壁パネルの横幅方向に並んでそれぞれ上下方向に延びる複数本の胴縁に、上記建物躯体の外壁パネル取付け箇所とは別の場所で組み付けて下地一体型の外壁パネルユニットとする作業に用いる地組架台であって、自立する地組架台本体と、この地組架台本体にそれぞれ取付けられ、上記外壁パネルユニットのユニット化前の上記複数本の各胴縁を、ユニット化後の配置関係でかつ立ち姿勢として、その下端および上部で位置決め状態に保持する複数の下端固定治具および上側固定治具と、を備える、外壁パネルの地組架台が開示されている。
【先行技術文献】
【特許文献】
【０００３】
【特許文献１】特開２０１６−９４７８６号公報
【発明の概要】
【発明が解決しようとする課題】
【０００４】
上記特許文献１では、平板の外壁パネルを作製しているが、このような平板の外壁パネルで建物の出隅コーナーの外壁を構築することは容易でない。一方、外壁パネルを出隅コーナーに合わせてＬ字状に構成することが考えられるが、当該外壁パネルが風圧を受けることを考慮する必要がある。また、上記Ｌ字の外壁パネルを建物の出隅コーナー部に取り付けることにおいて、足場を不要にすることが望まれる。
【０００５】
この発明は、上記の事情に鑑み、建物の出隅コーナー部で耐風に優れた外壁を構成することができ、また、足場を不要にし得る外壁パネル、および外壁構造および外壁施工方法を提供することを課題とする。
【課題を解決するための手段】
【０００６】
この発明の外壁パネルは、上記の課題を解決するために、建物の出隅コーナーに取り付けられる外壁パネルであって、複数の外壁面材が上下に並べられて縦胴縁で連結されており、上記外壁面材は直交する二面の外壁面を有し、各々の外壁面に上記縦胴縁が複数本取り付けられており、各外壁面の少なくとも最もコーナー寄りの縦胴縁は上記出隅コーナーの隅柱に対向して位置するように設けられていることを特徴とする（以下、この項において第１構成という。）。
【０００７】
上記の構成であれば、外壁面の少なくとも最もコーナー寄りの縦胴縁は隅柱に対向して位置するので、各外壁面の複数本の縦胴縁の配置間隔を適切に設定して、建物の出隅コーナー部において耐風に優れた外壁を構成することができる。また、一つの外壁パネルを建物の出隅コーナーに取り付ける作業によって、建物の出隅コーナーには、直交する二面の外壁面が一度に形成されることになり、外壁パネルの建物への設置の作業時間を短縮できる。
【０００８】
上記最もコーナー寄りの縦胴縁以外の縦胴縁のなかの一部の縦胴縁の丈が、上下のパネル連結に必要な丈よりも短くされていてもよい（以下、この項において第２構成という。）。これによれば、例えば、建物に設置する上下の外壁パネルにおける上記最もコーナー寄りの縦胴縁に隣接する縦胴縁同士の間を、上記の最もコーナー寄りの縦胴縁同士を接続するための作業用空間とすることができ、作業効率が向上する。また、作業者は、各階の床スラブ上で最もコーナー寄りの縦胴縁同士を接続する作業が行えるので、足場を不要にし得る。
【０００９】
上記丈が短くされた縦胴縁は、上記隅柱における上記出隅コーナー側の角の隣の角の近傍に位置するのがよい（以下、この項において第３構成という。）。これによれば、上記の最もコーナー寄りの縦胴縁同士を接続するための作業用空間の位置の適切化が図れるとともに、各外壁面の複数本の縦胴縁の配置間隔の適切化が図れる。
【００１０】
また、この発明の外壁構造は、上記第１構成の外壁パネルを建物の出隅コーナーに上下に配置して取り付ける外壁構造であって、上下の外壁パネルにおける対応する縦胴縁同士が接続板によって接続されていることを特徴とする。
【００１１】
また、この発明の外壁構造は、上記第２構成または第３構成の外壁パネルを建物の出隅コーナーに上下に配置して取り付ける外壁構造であって、上下の外壁パネルにおける上記最もコーナー寄りの縦胴縁に隣接する縦胴縁同士の間に、丈が短くされた分を補う補助胴縁が設けられていることを特徴とする。
【００１２】
また、この発明の外壁施工方法は、上記第２構成または第３構成の外壁パネルを用いる外壁構造を構築する外壁施工方法であって、上下の外壁パネルにおける上記最もコーナー寄りの縦胴縁に隣接する縦胴縁同士の間からの操作によって、上記最もコーナー寄りの縦胴縁同士を接続板によって接続する工程と、上下の外壁パネルにおける上記隣接する縦胴縁同士を、丈が短くされた分を補う補助胴縁を設けて接続する工程とを含むことを特徴とする。
【発明の効果】
【００１３】
本発明であれば、建物の出隅コーナー部において耐風に優れた外壁を構成することができる。また、足場を不要にすることも可能になるという効果を奏する。
【図面の簡単な説明】
【００１４】
【図１】本発明の実施形態に係る外壁パネルを示した斜視図である。
【図２】同図（Ａ）は図１の外壁パネルにおける外壁面材の上部および下部を示した断面図であり、同図（Ｂ）は図１の上下に並ぶ外壁面材の嵌め込み箇所の断面図である。
【図３】図１の外壁パネルを用いた外壁施工方法を示した概略の斜視図である。
【図４】図３の外壁施工方法による外壁構造の概略の横断面図である。
【図５】図３の続きとなる外壁施工方法の工程を示した概略の斜視図である。
【図６】図５の続きとなる外壁施工方法の工程を示した概略の斜視図である。
【図７】本発明の実施形態に係る外壁パネルを上下に位置させ、上下の縦胴縁の接合手順を示した説明図である。
【図８】図６の続きとなる外壁施工方法の工程を示した概略の斜視図である。
【発明を実施するための形態】
【００１５】
以下、この発明の実施の形態を添付図面に基づいて説明する。
図１に示すように、外壁パネル５は、複数の横長の外壁面材５１を上下に複数枚並べて下地材５２で相互に連結された構造を有する。図１に示す例では、上記下地材５２として縦胴縁５２ａを備えている。上記縦胴縁５２ａは、例えば、リップ溝型鋼からなる。
【００１６】
上記外壁面材５１は、例えば、図２（Ａ）および図２（Ｂ）に示すように、不燃断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。なお、上記外壁パネル５を組み立てるための地組架台については、図示を省略する。
【００１７】
上記外壁パネル５は、建設中の建物１００（図３等参照）の出隅コーナーに取り付けられる。そして、上記外壁パネル５は平面視で略Ｌ字状を有し、上記外壁面材５１は直交する二面の外壁面を備えており、それぞれの外壁面には上記縦胴縁５２ａが複数本、この実施形態では３本取り付けられている。
【００１８】
また、上記外壁パネル５において、各外壁面の３本の縦胴縁５２ａのうち、最もコーナー寄りの縦胴縁５２ａ1は後述の隅柱１０１の側面に対向して位置する。また、上記最もコーナー寄りの縦胴縁５２ａ1に隣接する縦胴縁５２ａ2(中央側の縦胴縁)の丈は、上下のパネル連結に必要な丈よりも短くされている。一方、上記縦胴縁５２ａのうち、最もコーナー寄りの縦胴縁５２ａ1および最もコーナーから遠い縦胴縁５２ａ3の丈は、上下のパネル連結に必要な丈になっている。
【００１９】
次に、この実施形態の外壁構造および外壁施工方法について説明していく。図３および図４に示すように、建物１００の出隅コーナーには、隅柱１０１が設けられている。この隅柱１０１の下側には下階の床スラブ１０２が設けられており、上側には上階の床スラブ１０３が設けられている。上記外壁パネル５は、上記隅柱１０１を囲うように配置され、上側の一部分が上記下階の床スラブ１０２のフロア面から突き出して設けられる。また、上記外壁パネル５は、上記下階の床スラブ１０２に、図示しないファスナーによって固定される。また、上記外壁パネル５において、上記縦胴縁５２ａ2の水平方向位置は、後述の補助胴縁６２の取り付け等を考慮し、上記隅柱１０１における上記出隅コーナー側の角の隣の角の近傍にくるように配置されている。上記隅柱１０１の上記角部の近傍の範囲は、当該角部から幾分ブラインド側に近づいて上記隅柱１０１の側面と対面する範囲でもよいし、上記角部から幾分部屋側に出て上記隅柱１０１の側面から外れる範囲でもよい。
【００２０】
そして、図５に示すように、上記外壁パネル５上に、地上の地組架台で作製しておいた別の外壁パネル５を、クレーン等で吊り上げ、既にファスナーで固定されている下側の外壁パネル５上に位置させる。このとき、下側の外壁パネル５の上記縦胴縁５２ａ2と上側の外壁パネル５の上記縦胴縁５２ａ2との間に、治具や腕が入るための、高さが略３５０ｍｍ程度の離間空間（作業用空間）が形成される。なお、上下の上記縦胴縁５２ａ1間および上記縦胴縁５２ａ3間には、例えば、３０ｍｍ程度の隙間（クリアランス）が生じる。
【００２１】
次に、図６および図７に示すように、上下の上記縦胴縁５２ａ1間および上記縦胴縁５２ａ3間には、平板状の接続板６１を配置し、これらに形成されている挿通孔にボルト等の締結部材を設けて相互に固定する。なお、上記縦胴縁５２ａ1、５２ａ3の端部には孔を形成しナットを溶接しておく。もちろん、ボルトを溶接しておいて、このボルトを接続板６１の挿通孔に通してナットを装着するようにしてもよい。上記接続板６１の配置や締結部材による固定操作は、上記縦胴縁５２ａ1間の作業用空間を利用して行うことができる。
【００２２】
上下の縦胴縁５２ａ1間での上記接続板６１の配置や締結部材による固定を行った後、上記縦胴縁５２ａ2間の上記操作空間に、上記縦胴縁５２ａ2における丈が短くされた分を補う、リップ溝形鋼等からなる補助胴縁６２を配置する。さらに２枚の接続板６１を用い、これらに形成されている挿通孔にボルト等の締結部材を設けて相互に固定する。
【００２３】
そして、上下の上記縦胴縁５２ａ3間での上記接続板６１の配置や締結部材による固定を行い、さらに、図８に示すように、別の外壁パネル５を上側に取り付けていく。
【００２４】
上記の構成であれば、各外壁面の最もコーナー寄りの縦胴縁５２ａ1が隅柱１０１に対向して位置するので、各外壁面の複数本の縦胴縁５２ａの配置間隔を適切に設定して、建物１００の出隅コーナー部において耐風に優れた外壁を構成することができる。また、一つの上記外壁パネル５を建物の出隅コーナーに取り付ける作業によって、建物の出隅コーナーには、直交する二面の外壁面が一度に形成されることになり、外壁パネルの建物への設置の作業時間を短縮できる。
【００２５】
また、上記最もコーナー寄りの縦胴縁５２ａ1に隣接する縦胴縁５２ａ2の丈が、上下のパネル連結に必要な丈よりも短くされていると、建物１００に設置する上下の外壁パネル５における上記最もコーナー寄りの縦胴縁５２ａ1に隣接する縦胴縁５２ａ2同士の間を、上記の最もコーナー寄りの縦胴縁５２ａ1同士を接続するための作業用空間とすることができ、作業効率が向上する。また、作業者は、各階の床スラブ上で最もコーナー寄りの縦胴縁同士を接続する作業が行えるので、足場を不要にし得る。
【００２６】
さらに、上記丈が短くされた縦胴縁５２ａ2が、上記隅柱１０１における上記出隅コーナー側の角の隣の角の近傍に位置すると、上記の最もコーナー寄りの縦胴縁５２ａ1同士を接続するための作業用空間の位置の適切化が図れるとともに、各外壁面の複数本の縦胴縁５２ａの配置間隔の適切化が図れる。
【００２７】
なお、上記外壁パネル５において、上記縦胴縁５２ａ2の丈を他の縦胴縁と同じ長さとすることも可能である、この場合、上記縦胴縁５２ａ2の水平方向位置を、上記隅柱１０１における上記出隅コーナー側の角の隣の角から腕や治具が入る程度の距離だけ室内寄りに離間させるのがよい。これにより、上記最もコーナー寄りの縦胴縁５２ａ1における上記接続板６１の取り付けのための作業用空間を確保することができる。なお、この場合には、上記縦胴縁５２ａ2は上記縦胴縁５２ａ1から多少離れて位置することになる。また、上記の例では、最もコーナー寄りの縦胴縁５２ａ1に隣接する１本の縦胴縁５２ａ2の丈が短くされたが、これに限らず、上記縦胴縁５２ａ1と縦胴縁５２ａ2の間に他の縦胴縁が存在するような場合には、この他の縦胴縁においても丈が短くされる。すなわち、最もコーナー寄りの縦胴縁以外の縦胴縁のなかの一部（１本または複数本）の縦胴縁の丈が、上下のパネル連結に必要な丈よりも短くされていてもよい。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２９】
５        ：外壁パネル
５１      ：外壁面材
５１ａ    ：不燃断熱材
５１ｂ    ：鋼板
５１ｃ    ：鋼板
５１ｄ    ：凹部
５１ｅ    ：凸部
５２      ：下地材
５２ａ    ：縦胴縁
５２ａ1  ：縦胴縁
５２ａ2  ：縦胴縁
５２ａ3  ：縦胴縁
６１      ：接続板
６２      ：補助胴縁
１００    ：建物
１０１    ：隅柱
１０２    ：床スラブ
１０３    ：床スラブ
【図１】
2019011647.tif 000003
【図２】
2019011647.tif 000004
【図３】
2019011647.tif 000005
【図４】
2019011647.tif 000006
【図５】
2019011647.tif 000007
【図６】
2019011647.tif 000008
【図７】
2019011647.tif 000009
【図８】
2019011647.tif 000010